(57)【特許請求の範囲】
【請求項１】
洗面カウンターと、
この洗面カウンターの幅方向両端部から上方に延在するとともに、互いに対向して配置された第１側面部および第２側面部と、
一方の側縁が、前記第１側面部に回動自在に連結される第１板部と、
一方の側縁が、前記第２側面部に回動自在に連結される第２板部と、
他方の側縁が、前記第２板部の他方の側縁に回動自在に連結される第３板部と、を備えており、
前記各板部の表面および裏面のうち、少なくとも一方は鏡面とされており、
前記各板部を横方向一直線に並べた場合の長さは、前記第１側面部と第２側面部との間隔よりも長くなるように設定されており、
前記各板部の一方および他方の側縁間の長さは略等しくなるように設定されていることを特徴とする洗面台。
【請求項２】
請求項１に記載の洗面台において、
前記第１板部の他方の側縁と、前記第３板部の一方の側縁とは、互いに係合可能に形成されていることを特徴とする洗面台。
【請求項３】
請求項１または２に記載の洗面台を洗面所に配置してなる洗面台の配置構造であって、
前記洗面台は、前記第１側面部と第２側面部との並設方向と直交する洗面台の奥行き方向両端部が、前記洗面所の壁から離間して配置されており、
この洗面台は、この洗面台を挟む一方の領域と他方の領域とから使用可能とされていることを特徴とする洗面台の配置構造。
【請求項４】
請求項３に記載の洗面台の配置構造において、
前記第１板部の表面および裏面の両面が鏡面とされており、
前記第２板部の表面および裏面のうちの一方が鏡面とされており、
前記第３板部の表面および裏面の両面が鏡面とされていることを特徴とする洗面台の配置構造。
【請求項５】
請求項１〜３のいずれか一項に記載の洗面台を洗面所に配置してなる洗面台の配置構造であって、
前記洗面台は、前記第１側面部と第２側面部との並設方向と直交する洗面台の奥行き方向一端部が、前記洗面所の壁から離間し、他端部が、前記洗面所の壁に当接固定されて配置されており、
前記第１側面部と第２側面部との間に位置する洗面所の壁には窓が設けられていることを特徴とする洗面台の配置構造。
【請求項６】
請求項５に記載の洗面台の配置構造において、
前記各板部の表面および裏面のうち、前記洗面所内部を向く面が鏡面とされていることを特徴とする洗面台の配置構造。
【発明の詳細な説明】
【技術分野】
【０００１】
本発明は、洗面台および洗面台の配置構造に関する。
【背景技術】
【０００２】
従来、洗面所に配置される洗面台には、この洗面台の前面に鏡を取り付けたものが知られている。特許文献１に記載の洗面台は、鏡と給排水設備の他に収納部が備えられた家具として形成されている。このような洗面台は、洗面所に、その裏面や側面を壁に固定するようにして配置されている。
【先行技術文献】
【特許文献】
【０００３】
【特許文献１】特開２００２−０１０９３６号公報
【発明の概要】
【発明が解決しようとする課題】
【０００４】
ところで、特許文献１に記載のような洗面台を洗面所に配置するためには、洗面台を固定するための壁面が必要となり、その分、洗面所の採光性や開放感が低減するという問題がある。このため、例えば鏡を前面に設けない構成の洗面台を形成し、この洗面台を、壁から離間した位置や窓際に配置するなどして、洗面所の採光性や開放感を高めたいという要望がある。しかし、鏡を洗面台の前面に設けないとなると、洗面台の使い勝手が良くない場合がある。
【０００５】
本発明の課題は、洗面台の使い勝手を良くすることができるとともに、洗面所の採光性や開放感を高めることが可能な洗面台を提供することを目的とする。
【課題を解決するための手段】
【０００６】
請求項１に記載の発明は、洗面台１０であって、例えば図１〜図１４に示すように、洗面カウンター２０と、
この洗面カウンター２０の幅方向両端部から上方に延在するとともに、互いに対向して配置された第１側面部３０および第２側面部４０と、
一方の側縁が、前記第１側面部３０に回動自在に連結される第１板部５０と、
一方の側縁が、前記第２側面部４０に回動自在に連結される第２板部６０と、
他方の側縁が、前記第２板部６０の他方の側縁に回動自在に連結される第３板部７０と、を備えており、
前記各板部５０，６０，７０の表面および裏面のうち、少なくとも一方は鏡面（例えば、鏡５１，５２，６１，７１，７２）とされており、
前記各板部５０，６０，７０を横方向一直線に並べた場合の長さは、前記第１側面部４０と第２側面部４０との間隔よりも長くなるように設定されており、
前記各板部５０，６０，７０の一方および他方の側縁間の長さは略等しくなるように設定されていることを特徴とする。
【０００７】
請求項１に記載の発明によれば、前記第１板部５０は、一方の側縁が、前記第１側面部３０に回動自在に連結されているので、この一方の側縁を支点に、前記第１側面部３０に当接する方向に回転させたり、第１側面部３０から離間する方向に回転させたりすることができる。
また、前記第２板部６０は、一方の側縁が、前記第２側面部４０に回動自在に連結されているので、この一方の側縁を支点に、前記第２側面部４０に当接する方向に回転させたり、第２側面部４０から離間する方向に回転させたりすることができる。
また、前記第３板部７０は、他方の側縁が、前記第２板部６０の他方の側縁に回動自在に連結されているので、前記第２板部６０とともに前記第２側面部４０に接近する方向に回転したり、第２側面部４０から離間する方向に回転したりすることになる。さらに、この第３板部７０は、前記第２板部６０に対して折りたたみ可能に連結されていることになり、他方の側縁を支点に、前記第２板部６０に当接する方向に回転させたり、第２板部６０から離間する方向に回転させたりすることができる。
そして、これら各板部５０，６０，７０は可動範囲内であれば、これら各板部５０，６０，７０を様々な位置に移動させて使用することができる。さらに、前記第１板部５０と第２板部６０と第３板部７０の各板部５０，６０，７０の表面および裏面のうち、少なくとも一方が鏡面（例えば、鏡５１，５２，６１，７１，７２）とされているので、鏡としての機能を備えた各板部５０，６０，７０を様々な位置に移動させて使用することができる。しかも、鏡を使用しない時には、これら各板部５０，６０，７０を、前記第１側面部３０および第２側面部４０側に当接するように回転させておけば、洗面台１０の前面には鏡が無い状態となる。すなわち、必要な時にだけ鏡を使用することができる上に、洗面台１０の前面で鏡を使用することができる。また、洗面台１０の配置次第では、各板部５０，６０，７０の表面だけでなく、裏面も鏡面とすれば、洗面台１０を、洗面カウンター２０を挟む一方の領域と他方の領域とから使用することができる。これによって、洗面台１０の使い勝手を良くすることができる。
さらに、洗面台１０の前面に鏡が無い状態としておけば、前記洗面カウンター２０の少なくとも上方を、この洗面カウンター２０を挟む一方の領域と他方の領域とを連通する空間とすることができる。これによって、前記洗面カウンター２０を挟む一方の領域と他方の領域との間で視線が遮られることを防いだり、窓から差し込む光を通過させたりすることができるので、洗面所１の採光性や開放感を高めることが可能となる。
【０００９】
また、前記各板部５０，６０，７０を横方向一直線に並べた場合の長さを、前記第１側面部３０と第２側面部４０との間隔よりも長くなるように設定し、前記各板部５０，６０，７０の一方および他方の側縁間の長さを略等しくなるように設定することで、前記第１側面部３０と第２側面部４０との間で、前記各板部５０，６０，７０を横方向一直線に並べられないようにすることができる。これによって、鏡としての機能を備えた前記各板部５０，６０，７０を様々な位置に移動させて使用する際に、単にまっすぐに並べて鏡を使用するよりも、例えば三面鏡のように、より立体的に鏡を使用できる。さらに、前記各板部５０，６０，７０のうちの１枚を適宜移動させることによって、鏡を正面から見て使用できるので、より使い勝手が良い。
また、前記各板部５０，６０，７０の一方および他方の側縁間の長さは略等しくなるように設定されているので、統一感を生じさせるだけでなく、第２板部６０と第３板部７０とを折りたたみやすい。
【００１０】
請求項２に記載の発明は、例えば図２，図４〜図６，図８，図１４に示すように、請求項１に記載の洗面台１０において、
前記第１板部５０の他方の側縁と、前記第３板部７０の一方の側縁とは、互いに係合可能に形成されていることを特徴とする。
【００１１】
請求項２に記載の発明によれば、前記第１板部５０の他方の側縁と、前記第３板部７０の一方の側縁とは、互いに係合可能に形成されているので、これら第１板部５０の他方の側縁と第３板部７０の一方の側縁とを係合させ、各板部５０，６０，７０が大きく動かないように安定した状態で使用することができ、さらに使い勝手が良い。
【００１２】
請求項３に記載の発明は、例えば図１〜図１１に示すように、請求項１または２に記載の洗面台１０を洗面所１に配置してなる洗面台１０の配置構造であって、
前記洗面台１０は、前記第１側面部３０と第２側面部４０との並設方向と直交する洗面台１０の奥行き方向両端部が、前記洗面所１の壁から離間して配置されており、
この洗面台１０は、この洗面台１０を挟む一方の領域と他方の領域とから使用可能とされていることを特徴とする。
【００１３】
請求項３に記載の発明によれば、前記洗面台１０は、前記第１側面部３０と第２側面部４０との並設方向と直交する洗面台１０の奥行き方向両端部が、前記洗面所１の壁から離間して配置されており、この洗面台１０は、この洗面台１０を挟む一方の領域と他方の領域とから使用可能とされているので、前記各板部５０，６０，７０の表面だけでなく、裏面も鏡面とすることによって、複数人で洗面台１０を使用でき、使い勝手が良い。
さらに、洗面台１０を固定するための壁面を必要としないため、その分、洗面所１の壁に設けられる窓を広くするなどして、洗面所１の採光性を向上させることが可能となる。
また、前記各板部５０，６０，７０を、前記第１側面部３０および第２側面部４０側に当接するように回転させ、洗面台１０の前面に鏡が無い状態とすることによって、前記洗面カウンター２０の少なくとも上方を、前記第１領域と第２領域とを連通する空間とすることができる。これによって、前記第１領域と第２領域との間で視線や光が遮られることを防げるので、洗面所１の採光性や開放感を向上させることが可能となる。
【００１４】
請求項４に記載の発明は、例えば図１〜図１１に示すように、請求項３に記載の洗面台１０の配置構造において、
前記第１板部５０の表面および裏面の両面が鏡面（例えば、鏡５１，５２）とされており、
前記第２板部６０の表面および裏面のうちの一方が鏡面（例えば、鏡６１）とされており、
前記第３板部７０の表面および裏面の両面が鏡面（例えば、鏡７１，７２）とされていることを特徴とする。
【００１５】
請求項４に記載の発明によれば、例えば前記第２板部６０の表面を鏡面（例えば、鏡６１）とすることによって、前記第１板部５０および第３板部７０の表面側の鏡を単独で使用したり、裏面側の鏡を単独で使用したりすることができる。また、前記第３板部７０の表面側および裏面側の鏡は、前記第２板部６０および第３板部７０を適宜回動させることによって、使用者に接近させたり、離間させたりして使用できる。さらに、前記各板部５０，６０，７０の表面側の鏡を三面鏡として使用することも可能となるので、これら各板部５０，６０，７０の鏡を使用する際のバリエーションが豊かになり、より使い勝手が良い。
【００１６】
請求項５に記載の発明は、例えば図１２〜図１４に示すように、請求項１〜３のいずれか一項に記載の洗面台１０を洗面所１に配置してなる洗面台１０の配置構造であって、
前記洗面台１０は、前記第１側面部３０と第２側面部４０との並設方向と直交する洗面台１０の奥行き方向一端部が、前記洗面所１の壁から離間し、他端部が、前記洗面所１の壁に当接固定されて配置されており、
前記第１側面部３０と第２側面部４０との間に位置する洗面所１の壁には窓１ａが設けられていることを特徴とする。
【００１７】
請求項５に記載の発明によれば、前記洗面台１０は、前記第１側面部３０と第２側面部４０との並設方向と直交する洗面台１０の奥行き方向一端部が、前記洗面所１の壁から離間し、他端部が、前記洗面所１の壁に当接固定されて配置されているので、前記洗面台１０は、前記洗面所１の壁際に設けられることになる。
そして、前記第１側面部３０と第２側面部４０との間に位置する洗面所１の壁には窓１ａが設けられているので、前記各板部５０，６０，７０を、前記第１側面部３０および第２側面部４０側に当接するように回転させ、前記洗面台１０の前面に鏡が無い状態とすることによって、この洗面台１０の前面側に窓１ａを露出させることができる。これによって、窓１ａから差し込む光を通過させたり、洗面所１から窓１ａ外部への視線が遮られることを防いだりすることができるので、洗面所１の採光性や開放感を高めることが可能となる。
【００１８】
請求項６に記載の発明は、例えば図１２〜図１４に示すように、請求項５に記載の洗面台１０の配置構造において、
前記各板部５０，６０，７０の表面および裏面のうち、前記洗面所１内部を向く面が鏡面（例えば、鏡５１，６１，７１）とされていることを特徴とする。
【００１９】
請求項６に記載の発明によれば、前記各板部５０，６０，７０の表面および裏面のうち、前記洗面所１内部を向く面が鏡面（例えば、鏡５１，６１，７１）とされているので、窓１ａを向く面を鏡面とする必要が無くなる。これによって、各板部５０，６０，７０の両面を鏡面とする場合に比してコストを低減できたり、各板部５０，６０，７０を簡易に製造できたりする。また、前記窓１ａから差し込む光が、窓１ａを向く面の鏡によって外部に反射するようなことを確実に防ぐことができる。
【発明の効果】
【００２０】
本発明によれば、第１板部は、一方の側縁が、第１側面部に回動自在に連結されているので、この一方の側縁を支点に、第１側面部に当接する方向に回転させたり、第１側面部から離間する方向に回転させたりすることができる。
また、第２板部は、一方の側縁が、第２側面部に回動自在に連結されているので、この一方の側縁を支点に、第２側面部に当接する方向に回転させたり、第２側面部から離間する方向に回転させたりすることができる。
また、第３板部は、他方の側縁が、第２板部の他方の側縁に回動自在に連結されているので、第２板部とともに第２側面部に接近する方向に回転したり、第２側面部から離間する方向に回転したりすることになる。さらに、この第３板部は、第２板部に対して折りたたみ可能に連結されていることになり、他方の側縁を支点に、第２板部に当接する方向に回転させたり、第２板部から離間する方向に回転させたりすることができる。
そして、これら各板部は可動範囲内であれば、これら各板部を様々な位置に移動させて使用することができる。さらに、第１板部と第２板部と第３板部の各板部の表面および裏面のうち、少なくとも一方が鏡面とされているので、鏡としての機能を備えた各板部を様々な位置に移動させて使用することができる。しかも、鏡を使用しない時には、これら各板部を、第１側面部および第２側面部側に当接するように回転させておけば、洗面台の前面には鏡が無い状態となる。すなわち、必要な時にだけ鏡を使用することができる上に、洗面台の前面で鏡を使用することができる。また、洗面台の配置次第では、各板部の表面だけでなく、裏面も鏡面とすれば、洗面台を、洗面カウンターを挟む一方の領域と他方の領域とから使用することができる。これによって、洗面台の使い勝手を良くすることができる。
さらに、洗面台の前面に鏡が無い状態としておけば、洗面カウンターの少なくとも上方を、この洗面カウンターを挟む一方の領域と他方の領域とを連通する空間とすることができる。これによって、洗面カウンターを挟む一方の領域と他方の領域との間で視線が遮られることを防いだり、窓から差し込む光を通過させたりすることができるので、洗面所の採光性や開放感を高めることが可能となる。
【図面の簡単な説明】
【００２１】
【図１】本発明に係る洗面台の配置構造の一例を示す平面図である。
【図２】本発明に係る洗面台の一例を示す正面図である。
【図３】図２に示す洗面台の斜視図である。
【図４】図２の洗面台において第１板部、第２板部、第３板部を回動させた状態を示す斜視図である。
【図５】第１板部付近を示す平断面図である。
【図６】第２板部および第３板部付近を示す平断面図である。
【図７】開閉扉を回動させた状態を示す平断面図である。
【図８】第１板部、第２板部、第３板部を回動させた状態を示す平断面図である。
【図９】第２板部、第３板部を回動させた状態を示す平断面図である。
【図１０】第２板部、第３板部を回動させた状態を示す平断面図である。
【図１１】第１板部を回動させた状態を示す平断面図である。
【図１２】本発明に係る洗面台の配置構造の他の一例を示す平面図である。
【図１３】本発明に係る洗面台の他の一例を示す斜視図である。
【図１４】第１板部、第２板部、第３板部を回動させた状態を示す平断面図である。
【発明を実施するための形態】
【００２２】
以下、図面を参照して本発明の実施の形態について説明する。
【００２３】
＜第１の実施の形態＞
図１は本発明に係る洗面台の配置構造の一例を示す平面図である。
図１において符号１は、洗面所を示す。この洗面所１は、この洗面所１の周囲に配置される浴室２やトイレ３等とともに水廻り設備室を構成している。
このような水廻り設備室内の洗面所１に洗面台１０が配置されている。
洗面台１０は、奥行き方向一端部が浴室２側に位置し、奥行き方向他端部がトイレ３側に位置しており、この洗面台１０を挟む一方の領域（浴室２側）と、他方の領域（トイレ３側）とから使用可能とされている。なお、この洗面台１０の奥行き方向一端部側が、この洗面台１０の正面とされており、奥行き方向他端部側が、この洗面台１０の背面とされている。
なお、本実施の形態において、洗面所１とは、洗面台１０が配置される場所を指しているものとする。
【００２４】
洗面台１０は、図１〜図１１に示すように、洗面カウンター２０と、第１側面部３０および第２側面部４０と、第１板部５０と、第２板部６０と、第３板部７０とを備えている。
そして、前記第１板部５０の表面および裏面と、第２板部６０の表面と、第３板部７０の表面および裏面とが、それぞれ鏡面とされている。
【００２５】
前記洗面カウンター２０は、陶器、合成樹脂等で形成されるものであり、平面視において矩形状に形成されている。なお、本実施の形態においては、この洗面カウンター２０のみで使用する形態とされているが、この洗面カウンター２０を天板とし、下部にキャビネットを備える形態としても良い。
また、給排水設備として、排水管２１ａと接続される洗面ボウル２１と、給水管２２ａと接続される蛇口２２とを備えている。
【００２６】
さらに、洗面カウンター２０は、この洗面カウンター２０の幅方向両端部側に配置されるとともに、互いに対向する収納部３４，４４間に設けられている。
なお、本実施の形態の洗面カウンター２０は、これら収納部３４，４４間に架設され、これら収納部３４，４４によって支持されるものとする。また、上述のように、下部にキャビネットを備える洗面カウンター２０の場合は、単に、収納部３４，４４に洗面カウンター２０が位置するようにすれば良い。
【００２７】
収納部３４，４４は、下部が、床面に立設されるとともに、所定の高さに設定された壁体とされており、上部が、収納棚とされている。収納部３４，４４下部の壁体は、洗面カウンター２０を居住者が使いやすい高さに配置できることを考慮した高さとなっている。
また、収納部３４下部の壁体は、図２に示すように、壁の厚みを利用して配管スペースを形成し、この配管スペースに前記排水管２１ａと給水管２２ａを収納できるようになっている。
また、これら収納部３４，４４の高さは、互いに略等しくなるように設定されている。
なお、本実施の形態の収納部３４，４４は、床から天井までの高さよりも低く設定されているが、床から天井まで高さと略等しくなるように設定しても良い。
【００２８】
収納部３４上部の収納棚は、図２〜図５,図７〜図１１に示すように、洗面カウンター２０側に開口する開口部３５ａが形成された収納空間３５と、洗面台１０の奥行き方向一端部側に開口する開口部３６ａが形成された収納空間３６とを有している。
また、前記収納空間３６には、複数の棚板３７…が上下方向に間隔をあけて取り付けられている。
収納部４４上部の収納棚は、図２〜図４,図６〜図１１に示すように、洗面カウンター２０側に開口する開口部４５ａが形成された収納空間４５を有している。
【００２９】
なお、本実施の形態において、洗面カウンター２０は、下部が壁体とされ、上部が収納棚とされた収納部３４，４４間に設けられるものとしたが、互いに対向する通常の壁間に設けられるものとしても良い。
さらに、いずれか一方を収納部３４（４４）とし、他方を通常の壁としても良い。つまり、建物躯体の一部として構成された壁に対向するようにして収納部３４（４４）を配置し、これら収納部３４（４４）と壁との間に洗面カウンター２０を設けるようにしても良い。
【００３０】
前記第１側面部３０および第２側面部４０は、洗面カウンター２０の幅方向両端部から上方に延在するとともに、互いに対向して配置されている。
これら第１側面部３０および第２側面部４０は、洗面カウンター２０の上面に直交するようにして上方に延在している。
すなわち、これら第１側面部３０および第２側面部４０は、前記収納部３４，４４の洗面カウンター２０側面を指している。図１〜図１１に示すように、前記収納部３４，４４には、前記収納空間３５，４５の開口部３５ａ，４５ａを開閉する開閉扉が設けられており、本実施の形態においては、特に、これら開閉扉が、それぞれ前記第１側面部３０、第２側面部４０とされている。
【００３１】
開閉扉である第１側面部３０は、縦横の框材３０ａ，３０ｂを矩形枠状に組み立ててなるものであり、この矩形枠の内部が、第１板部５０が収納される鏡収納部３１とされている。この鏡収納部３１は、第１板部５０を収納可能な大きさに設定されている。
【００３２】
また、洗面台１０の奥行き方向他端部側の収納部３４の側縁と、矩形枠状の第１側面部３０の他方の側縁（縦框材３０ａ）との間には、図５に示すように、蝶番３２が上下方向に間隔を空けて複数設けられている。
また、矩形枠状の第１側面部３０の一方の側縁（縦框材３０ａ）には、この第１側面部３０を開閉操作するための、つまみ３３が設けられている。
【００３３】
開閉扉である第２側面部４０は、縦横の框材４０ａ，４０ａを矩形枠状に組み立ててなるものであり、この矩形枠の内部が、第２板部６０および第３板部７０が収納される鏡収納部４１とされている。この鏡収納部４１は、第２板部６０および第３板部７０を収納可能な大きさに設定されている。
【００３４】
また、洗面台１０の奥行き方向他端部側の収納部４４の側縁と、矩形枠状の第２側面部４０の他方の側縁（縦框材４０ａ）との間には、図６に示すように、蝶番４２が上下方向に間隔を空けて複数設けられている。
また、矩形枠状の第２側面部４０の一方の側縁（縦框材４０ａ）には、この第２側面部４０を開閉操作するための、つまみ４３が設けられている。
【００３５】
前記第１板部５０は、図２，図７〜図１１に示すように、表面および裏面が鏡面とされている。すなわち、本実施の形態においては、矩形板状の鏡５１が第１板部５０の表面側を構成しており、矩形板状の鏡５２が第１板部５０の裏面側を構成している。
これら鏡５１，５２は、互いに背面を当接させるとともに、これら鏡５１，５２の周縁部を保持するフレーム５３で保持されることによって、第１板部５０の本体を構成している。
【００３６】
第１板部５０の一方の側縁は、前記第１側面部３０に回動自在に連結されている。
すなわち、前記第１板部５０の本体を構成するフレーム５３の一方の側縁には、回動軸５４が設けられている。
この回動軸５４は、このフレーム５３の一方の側縁の上下方向の長さよりも長くなるように設定されており、その上端部と下端部とが、前記開閉扉である第１側面部３０を構成する上下２本の横框材３０ｂ，３０ｂ側に突出している。
これら上側の横框材３０ｂの下面と、下側の横框材３０ｂの上面とには、図示はしないが、回動軸５４の上端部および下端部を回動自在に受ける軸受け材が設けられている。また、この軸受け材は、円状の底面部と、この底面部の周縁に立設される筒状の周壁部とを備えている。
そして、第１板部５０は、この第１板部５０の一方の側縁に位置する回動軸５４の上下端部をそれぞれ軸受け材で受けることによって、前記開閉扉である第１側面部３０に連結されることになる。
【００３７】
また、第１板部５０の他方の側縁には、この第１板部５０の他方の側縁に沿って、把手５５が取り付けられている。
この把手５５は、図５に示すように、固定片５５ａと、突出片５５ｂと、凹部５５ｃとを有している。
固定片５５ａは、前記フレーム５３の他方の側縁に固定されている。
突出片５５ｂは、前記固定片５５ａと一体形成されており、この固定片５５ａの収納部３４側端部から洗面カウンター２０側に斜めに湾曲するようにして突出している。
凹部５５ｃは、前記固定片５５ａと突出片５５ｂとの間に形成されており、洗面台１０の使用者の指が入れられる部分となる。
【００３８】
また、前記第１側面部３０の鏡収納部３１には、この第１板部５０とともに背板部３０ｃが収納されている。これら第１側面部３０と背板部３０ｃとは、互いに背面を当接させるようにして配置されており、背板部３０ｃの周縁部は、前記縦横の框材３０ａ，３０ｂに固定されている。
なお、この背板部３０ｃは、前記第１板部５０のストッパーとしても使用されており、この第１板部５０の収納部３４側への回動を止めることができる。
【００３９】
前記第２板部６０は、図２，図６〜図１１に示すように、表面が鏡面とされている。すなわち、本実施の形態においては、矩形板状の鏡６１が第２板部６０の表面側を構成している。また、第２板部６０の裏面側は、化粧板部６２によって構成されている。
化粧板部６２は、第２板部６０の裏面側を化粧面とするためのものである。前記鏡６１と互いに背面を当接させるとともに、これら鏡６１および化粧板部６２の周縁部を保持するフレーム６３で保持されることによって、第２板部６０の本体を構成している。
【００４０】
第２板部６０の一方の側縁は、前記第２側面部４０に回動自在に連結されている。
すなわち、前記第２板部５０の本体を構成するフレーム６３の一方の側縁には、回動軸６４が設けられている。
この回動軸６４は、フレーム６３の一方の側縁の上下方向の長さよりも長くなるように設定されており、その上端部と下端部とが、前記開閉扉である第２側面部４０を構成する上下２本の横框材４０ｂ，４０ｂ側に突出している。
また、これら上側の横框材４０ｂの下面と、下側の横框材４０ｂの上面とには、図示はしない軸受け材が設けられている。
そして、第２板部６０は、この第２板部６０の一方の側縁に位置する回動軸６４の上下端部をそれぞれ軸受け材で受けることによって、前記開閉扉である第２側面部４０に連結されることになる。
【００４１】
また、第２板部６０の本体を構成するフレーム６３の他方の側縁には、回動軸６５が設けられている。
この回動軸６５は、フレーム６３の他方の側縁の上下方向の長さよりも長くなるように設定されており、その上端部が上方に突出し、下端部が下方に突出している。
そして、これら回動軸６５の上下端部には、リンク部材７４ａ，７４ａを介して、第３板部７０の回動軸７４（後述する）が設けられている。
【００４２】
前記第３板部７０は、図６〜図１１に示すように、表面および裏面が鏡面とされている。すなわち、本実施の形態においては、矩形板状の鏡７１が第３板部７０の表面側を構成しており、矩形板状の鏡７２が第３板部７０の裏面側を構成している。
これら鏡７１，７２は、互いに背面を当接させるとともに、これら鏡７１，７２の周縁部を保持するフレーム７３で保持されることによって、第３板部７０の本体を構成している。
【００４３】
第３板部７０の他方の側縁は、前記第２板部６０の他方の側縁に回動自在に連結されている。
すなわち、前記第３板部７０の本体を構成するフレーム７３の他方の側縁には、回動軸７４が設けられている。この回動軸７４は、フレーム７３の他方の側縁の上下方向の長さよりも長くなるように設定されており、その上端部が上方に突出し、下端部が下方に突出している。
そして、これら回動軸７４の上下端部には、リンク部材７４ａ，７４ａを介して、第２板部６０の回動軸６５が設けられている。つまり、第２板部の回動軸６５と第３板部７０の回動軸７４とは、上下端部において、リンク部材７４ａ，７４ａを介して連結されていることになる。
【００４４】
また、第３板部７０の一方の側縁には、この第３板部７０の一方の側縁に沿って、把手７５が取り付けられている。
この把手５５は、図６に示すように、固定片７５ａと、突出片７５ｂと、凹部７５ｃとを有している。
固定片７５ａは、前記フレーム７３の一方の側縁に固定されている。
突出片７５ｂは、前記固定片７５ａと一体形成されており、この固定片７５ａの収納部４４側端部から洗面カウンター２０側にＬ型に突出している。
凹部７５ｃは、前記固定片７５ａと突出片７５ｂとの間に形成されており、洗面台１０の使用者の指が入れられる部分となる。
【００４５】
また、前記第２側面部４０の鏡収納部４１には、前記第２板部６０および第３板部７０が収納されている。これら第２板部６０および第３板部７０は、上述のように折りたたみ可能に連結されており、折りたたまれた状態で鏡収納部４１に収納される。
なお、第２側面部４０の収納部４４側面にはストッパー６６が取り付けられており、このストッパー６６によって、第２板部６０および第３板部７０の収納部４４側への回動を止めることができる。
【００４６】
前記第１板部５０、第２板部６０、第３板部７０の各板部は、図５〜図１１に示すように、各板部５０，６０，７０の一方の側縁と他方の側縁との間の長さ、すなわち各板部５０，６０，７０の幅方向の長さ（鏡収納部３１，４１収納時における洗面台１０の奥行き方向に沿う方向の長さ）が略等しくなるように設定されている。
【００４７】
前記第１板部５０、第２板部６０、第３板部７０の各板部を横方向一直線に並べた場合の長さは、前記第１側面部４０と第２側面部４０との間隔よりも長くなるように設定されている。すなわち、これら各板部５０，６０，７０は、前記第１側面部３０と第２側面部４０との間で、横方向一直線に並べられないことになる。
これによって、矩形板状の鏡を、横一直線に並べて平らな鏡として用いるのではなく、例えば三面鏡のように、より立体的に鏡を使用できることになる。
【００４８】
また、前記第１板部５０の他方の側縁と、前記第３板部７０の一方の側縁とは、図４〜図６，図８に示すように、互いに係合可能に形成されている。
すなわち、前記第１板部５０の把手５５の凹部５５ｃは、第３板部７０の把手７５よりも大きくなるように形成されている。さらに、把手５５の突出片５５ｂの斜め突出部分は、前記各板部５０，６０，７０を三面鏡として使用する際に、洗面カウンター２０の幅方向に沿って配置できるような方向に突出するように設定されている。
【００４９】
以上のような第１板部５０、第２板部６０、第３板部７０を使用する際のバリエーションは様々なものがある。
図７では、前記開閉扉である第１側面部３０および第２側面部４０を、蝶番３２，４２を支点にして回動移動させ、前記収納空間３５，４５の開口部３５ａ，４５ａを開放させた状態としている。
【００５０】
図４および図８では、前記第１板部５０、第２板部６０、第３板部７０の各板部を回動させて、これら各板部５０，６０，７０を、洗面台１０の正面側から三面鏡として使用している。
この時、前記第１板部５０の他方の側縁と、前記第３板部７０の一方の側縁とは、前記第３板部７０の把手７５を、前記第１板部５０の把手５５の凹部５５ｃに挿入するようにして互いに係合した状態となっている。
【００５１】
正面側から洗面台１０を使用する場合に、図９では、第３板部７０を回動移動させて、表面側の鏡７１を使用者側に接近させている。また、図１０では、同じように第３板部７０を回動移動させて、洗面台１０正面側の使用者から鏡７１を離間させるようにして使用している。
一方、洗面台１０を背面側から使用する場合に、図９では、第３板部７０の裏面側の鏡７２を使用者側から離間させていることになり、図１０では、鏡７２を、使用者側に接近させている。
【００５２】
図１１では、第１板部５０を回動移動させており、この場合、第１板部５０の表面側の鏡５１を、洗面台１０正面から使用することができ、第１板部５０の裏面側の鏡５２を、洗面台１０背面から使用することができる。
【００５３】
次に、以上のような洗面台１０の配置構造について説明する。
まず、前記洗面所１の周囲に配置された前記浴室２およびトイレ３は、図１に示すように個室とされており、周囲に壁が立設されている。
浴室２の周囲を囲む壁には出入り口２ａが形成されている。また、トイレ３の周囲を囲む壁には出入り口３ａが形成されている。
そして、本実施の形態の洗面所１は、浴室２の出入り口２ａ前のスペースと、トイレ３の出入り口３ａ前のスペースとの間に配置されている。
【００５４】
洗面台１０は、奥行き方向両端部が、前記洗面所１の壁から離間するようにして洗面所１に配置されている。すなわち、洗面台１０の奥行き方向両端部は、前記浴室２の周囲を囲む壁からも、前記トイレ３の周囲を囲む壁からも、また、その他のいずれの壁からも離間して配置されている。
これによって、洗面台１０を、この洗面台１０を挟む一方の領域（浴室２側）と、他方の領域（トイレ３側）とから使用できるようになっている。
【００５５】
また、本実施の形態の洗面カウンター２０は、この洗面カウンター２０のみで使用し、下部にキャビネットを備えない形態となっているので、この洗面カウンター２０の上方および下方は、前記第１領域と第２領域とを連通する空間となる。
【００５６】
なお、本実施の形態の水廻り設備室は、図１に示すような形態としたが、これに限られるものではなく、適宜変更可能であることは言うまでもない。
すなわち、どのような形態の水廻り設備室であっても、正面側（第１領域）と背面側（第２領域）とから使用可能とされた洗面台１０は、その奥行き方向両端部が、周囲の壁から離間するようにして配置されている。
【００５７】
本実施の形態によれば、鏡としての機能を備えた前記第１板部５０、第２板部６０、第３板部７０の各板部は可動範囲内であれば、これら各板部５０，６０，７０を様々な位置に移動させて使用することができる。しかも、鏡５１，５２，６１，７１，７２を使用しない時には、これら各板部５０，６０，７０を、前記第１側面部３０および第２側面部４０側に当接するように回転させておけば、洗面台１０の前面には鏡が無い状態となる。すなわち、必要な時にだけ鏡５１，５２，６１，７１，７２を使用することができる上に、洗面台１０の前面で鏡５１，５２，６１，７１，７２を使用することができる。また、各板部５０，６０，７０の表面だけでなく、第１板部５０および第３板部７０の裏面も鏡面となっているので、洗面台１０を、洗面カウンター２０を挟む一方の領域と他方の領域とから使用することができる。これによって、洗面台１０の使い勝手を良くすることができる。
さらに、洗面台１０の前面に鏡が無い状態としておけば、前記洗面カウンター２０の上方および下方を、この洗面カウンター２０を挟む一方の領域と他方の領域とを連通する空間とすることができる。これによって、前記洗面カウンター２０を挟む一方の領域と他方の領域との間で視線が遮られることを防いだり、窓から差し込む光を通過させたりすることができるので、洗面所１の採光性や開放感を高めることが可能となる。
【００５８】
また、前記各板部５０，６０，７０を横方向一直線に並べた場合の長さを、前記第１側面部３０と第２側面部４０との間隔よりも長くなるように設定し、前記各板部５０，６０，７０の一方および他方の側縁間の長さを略等しくなるように設定することで、前記第１側面部３０と第２側面部４０との間で、前記各板部５０，６０，７０を横方向一直線に並べられないようにすることができる。これによって、鏡としての機能を備えた前記各板部５０，６０，７０を様々な位置に移動させて使用する際に、単にまっすぐに並べて鏡を使用するよりも、例えば三面鏡のように、より立体的に鏡５１，５２，６１，７１，７２を使用できる。さらに、前記各板部５０，６０，７０のうちの１枚を適宜移動させることによって、鏡を正面から見て使用できるので、より使い勝手が良い。
また、前記各板部５０，６０，７０の一方および他方の側縁間の長さは略等しくなるように設定されているので、統一感を生じさせるだけでなく、第２板部６０と第３板部７０とを折りたたみやすい。
【００５９】
また、前記第１板部５０の他方の側縁と、前記第３板部７０の一方の側縁とは、互いに係合可能に形成されているので、これら第１板部５０の他方の側縁と第３板部７０の一方の側縁とを係合させ、各板部５０，６０，７０が大きく動かないように安定した状態で使用することができ、さらに使い勝手が良い。
【００６０】
また、前記洗面台１０は、奥行き方向両端部が、前記洗面所１の壁から離間して配置されており、この洗面台１０は、この洗面台１０を挟む一方の領域と他方の領域とから使用可能とされているので、複数人で洗面台１０を使用でき、使い勝手が良い。
さらに、洗面台１０を固定するための壁面を必要としないため、その分、洗面所１の壁に設けられる窓を広くするなどして、洗面所１の採光性を向上させることが可能となる。
また、前記各板部５０，６０，７０を、前記第１側面部３０および第２側面部４０側に当接するように回転させ、洗面台１０の前面に鏡が無い状態とすることによって、前記洗面カウンター２０の上方および下方を、前記第１領域と第２領域とを連通する空間とすることができる。これによって、前記第１領域と第２領域との間で視線や光が遮られることを防げるので、洗面所１の採光性や開放感を向上させることが可能となる。
【００６１】
また、前記第１板部５０および第３板部７０の表面側の鏡５１，７１を単独で使用したり、裏面側の鏡５２，７２を単独で使用したりすることができる。また、前記第３板部７０の表面側および裏面側の鏡７１，７２は、前記第２板部６０および第３板部７０を適宜回動させることによって、使用者に接近させたり、離間させたりして使用できる。さらに、前記各板部５０，６０，７０の表面側の鏡５１，６１，７１を三面鏡として使用することも可能となるので、これら各板部５０，６０，７０の鏡５１，５２，６１，７１，７２を使用する際のバリエーションが豊かになり、より使い勝手が良い。
【００６２】
＜第２の実施の形態＞
次に、図面を参照して本発明の第２の実施の形態について説明する。なお、説明の便宜上、上述した第１の実施の形態とは異なる構成部分のみについて説明する。
【００６３】
本実施の形態の洗面台１０は、図１２〜図１４に示すように、前記第１板部５０、第２板部６０、第３板部７０各板部の表面および裏面のうち、前記洗面所１内部を向く面が鏡面とされている。
なお、本実施の形態において、洗面所１とは、洗面台１０が配置される場所を指しているものとする。
【００６４】
本実施の形態の第１板部５０は、表面側が矩形板状の鏡５１で構成されており、裏面側が化粧板部５６で構成されている。
化粧板部５６は、第１板部５０の裏面側を化粧面とするためのものである。前記鏡５１と互いに背面を当接させるとともに、これら鏡５１および化粧板部５６の周縁部を保持するフレーム５３で保持されることによって、本実施の形態の第１板部５０の本体を構成している。
【００６５】
本実施の形態の第３板部７０は、表面側が矩形板状の鏡７１で構成されており、裏面側が化粧板部７６で構成されている。
化粧板部７６は、第３板部７０の裏面側を化粧面とするためのものである。前記鏡７１と互いに背面を当接させるとともに、これら鏡７１および化粧板部７６の周縁部を保持するフレーム７３で保持されることによって、本実施の形態の第３板部７０の本体を構成している。
【００６６】
次に、以上のような洗面台１０の配置構造について説明する。
洗面台１０は洗面所１に配置されている。この洗面所１の周囲には、図１２に示すように、トイレ３が配置されている。また、これら洗面所１およびトイレ３から離れた位置に浴室２が配置されている。そして、洗面所１は、浴室２やトイレ３等とともに水廻り設備室を構成している。
なお、前記浴室２およびトイレ３は、図１２に示すように個室とされており、周囲に壁が立設されている。また、浴室２の周囲を囲む壁には出入り口２ａが形成されている。また、トイレ３の周囲を囲む壁には出入り口３ａが形成されている。
【００６７】
洗面台１０は、図１２に示すように、洗面所１に、奥行き方向一端部が洗面所１の壁から離間し、他端部が洗面所１の壁に当接固定されて配置されている。
そして、前記第１側面部３０と第２側面部４０との間に位置する洗面所１の壁には窓１ａが設けられている。
これによって、本実施の形態の洗面台１０は、洗面所１の壁際に設けられ、正面側からのみ使用できることになる。
【００６８】
また、洗面台１０の幅方向一端部は、前記トイレ３の周囲を囲む壁に当接固定されており、幅方向他端部は、前記窓１ａが設けられた壁と直交する壁に当接固定されている。
すなわち、本実施の形態の洗面台１０は、三方を壁で囲まれた空間に配置されており、この洗面台１０が配置された場所が、水廻り設備室の洗面所１として使用されている。
【００６９】
なお、本実施の形態の水廻り設備室は、図１２に示すような形態としたが、これに限られるものではなく、適宜変更可能であることは言うまでもない。
すなわち、どのような形態の水廻り設備室であっても、本実施の形態の洗面台１０は、窓１ａが設けられた壁際に配置されており、正面側から使用可能とされている。また、洗面台１０の各板部５０，６０，７０の鏡面は、窓１ａが設けられた壁を向く面ではなく、洗面所１内部を向く面とされている。
【００７０】
本実施の形態によれば、洗面台１０は、奥行き方向一端部が、前記洗面所１の壁から離間し、他端部が、前記洗面所１の壁に当接固定されて配置されているので、前記洗面台１０は、前記洗面所１の壁際に設けられることになる。
そして、前記第１側面部３０と第２側面部４０との間に位置する洗面所１の壁には窓１ａが設けられているので、前記各板部５０，６０，７０を、前記第１側面部３０および第２側面部４０側に当接するように回転させ、前記洗面台１０の前面に鏡が無い状態とすることによって、この洗面台１０の前面側に窓１ａを露出させることができる。これによって、窓１ａから差し込む光を通過させたり、洗面所１から窓１ａ外部への視線が遮られることを防いだりすることができるので、洗面所１の採光性や開放感を高めることが可能となる。
【００７１】
また、前記各板部５０，６０，７０の前記洗面所１内部を向く表面側だけに鏡５１，６１，７１が設けられているので、窓１ａを向く裏面側を鏡面とする必要が無くなる。これによって、各板部５０，６０，７０の両面を鏡面とする場合に比してコストを低減できたり、各板部５０，６０，７０を簡易に製造できたりする。
また、前記窓１ａから差し込む光が、窓１ａを向く面の鏡によって外部に反射するようなことを確実に防ぐことができる。
【符号の説明】
【００７２】
１  洗面所
１ａ  窓
１０  洗面台
２０  洗面カウンター
３０  第１側面部
３０ｃ  背板部
４０  第２側面部
５０  第１板部
５１  鏡
５２  鏡
５６  化粧板部
６０  第２板部
６１  鏡
６２  化粧板部
７０  第３板部
７１  鏡
７２  鏡
７６  化粧板部
【図１】
0005749571.tif 000002
【図２】
0005749571.tif 000003
【図３】
0005749571.tif 000004
【図４】
0005749571.tif 000005
【図５】
0005749571.tif 000006
【図６】
0005749571.tif 000007
【図７】
0005749571.tif 000008
【図８】
0005749571.tif 000009
【図９】
0005749571.tif 000010
【図１０】
0005749571.tif 000011
【図１１】
0005749571.tif 000012
【図１２】
0005749571.tif 000013
【図１３】
0005749571.tif 000014
【図１４】
0005749571.tif 000015